(57)【要約】      （修正有）【課題】胴に取付けられた押しボタンのボタン軸が衝撃で変形することを抑制できるとともに、押しボタンの胴への着脱作業を容易に行うことが可能な携帯時計の提供。【解決手段】腕時計1は、接点部材13を有したムーブメント11を収容した時計外装組立2、パイプ15、押しボタン21、及びコイルばね31を具備する。パイプが有した挿入円筒部16を、時計外装組立の胴3に形成された貫通孔8に挿入して、胴にパイプ15を固定する。ボタン21は、パイプを貫通して接点部材13に接離可能なボタン軸22、及びこの軸に連続して胴の外部に配置された押込み操作用のヘッド23を有する。ボタン軸21を、第１軸部24と、第１軸部に螺合された第２軸部25とで形成する。係合面25bが挿入円筒部の先端16aに接した状態に保持されるようにボタン21を胴の外方に向けてばね31で付勢している。【選択図】図１
2012189521.tif 000002
【特許請求の範囲】
【請求項１】
接点部材を有したモジュールと、
貫通孔が形成された胴を有し、かつ、前記モジュールが収容された時計外装組立と、
挿入円筒部を有し、この挿入円筒部を前記貫通孔に挿入して前記胴に固定されたパイプと、
このパイプを貫通して前記接点部材に接離可能なボタン軸、及びこの軸に連続して前記胴の外部に配置された押込み操作用のヘッドを有しており、前記ヘッドと一体の第１軸部に、この第１軸部より大径でかつ前記挿入円筒部の先端に接離可能な係合面を有した第２軸部を螺合して前記ボタン軸が形成されている押しボタンと、
前記係合面が前記挿入円筒部の先端に接した状態に保持されるように前記押しボタンを前記胴の外方に向けて付勢して設けられた付勢部材と、
を具備する携帯時計。
【請求項２】
前記第２軸部の周面に少なくとも一対の平面が形成されていることを特徴とする請求項１に記載の携帯時計。
【請求項３】
前記挿入円筒部の先端部が前記胴の内部に突出されていて、前記付勢部材の付勢力により前記第２軸部の係合面が前記胴の内部で前記挿入円筒部の先端に接触保持されていることを特徴とする請求項１又は２に記載の携帯時計。
【請求項４】
前記第１軸部がその外周部にパッキン取付け溝を有し、前記挿入円筒部の内周面に接する環形の防水パッキンが、前記パッキン取付け溝に嵌合して前記第１軸部に取付けられていて、前記第１軸部がその外径より小径の雄ねじ部位を有しているとともに前記第２軸部が雌ねじ部位を有しており、これら雄ねじ部位と雌ねじ部位を螺合させて前記第１軸部と第２軸部が連結されていることを特徴とする請求項１から３のうちのいずれか一項に記載の携帯時計。
【請求項５】
前記パイプが、前記挿入円筒部より大径でかつこの挿入円筒部に一体に連続して前記胴の外部に配置された大径円筒部を有し、この大径円筒部内に前記ヘッドが嵌合されているとともに、これら大径円筒部の筒底壁部とヘッドとの間に前記付勢部材が圧縮された状態に挟まれていることを特徴とする請求項１から４のうちのいずれか一項に記載の携帯時計。
【請求項６】
前記パイプが前記挿入円筒部に一体に連続して前記貫通孔の外部に配置されるとともに外周に雄ねじが形成された雄ねじ円筒部を有し、かつ、前記パイプの軸方向に沿って移動可能に前記雄ねじ円筒部に螺合されて前記胴に接するボタン解放位置と前記ヘッドに接するボタン拘束位置とにわたって配置されるロック部材を更に備え、このロック部材が前記ボタン拘束位置で前記ヘッドの周面を覆うカバー円筒部を有しているとともに、前記ヘッドと前記ロック部材との間に前記付勢部材が圧縮された状態に挟まれていることを特徴とする請求項１から４のうちのいずれか一項に記載の携帯時計。
【発明の詳細な説明】
【技術分野】
【０００１】
本発明は、押しボタンを備えた携帯時計に関する。
【背景技術】
【０００２】
腕時計や懐中時計などの携帯時計の中には、時計外装組立に内蔵されたモジュールの接点を動作させる押しボタンを備えたものがある。押しボタンが押圧されることによって、例えばクォーツ式携帯時計では、時計表示をアナログ表示からデジタル表示に切換えることができ、又、デジタル表示された日付や曜日を切換えることができる。
【０００３】
従来、この種の携帯時計で、押しボタンは、軸部とこの軸部より大径で軸部に一体に設けられた頭部とから形成された一体構造物からなるとともに、時計外装組立の胴に以下の構成で取付けられている。
【０００４】
即ち、胴が有する貫通孔に取付けられたパイプに、外周部に防水用のパッキンが取付けられた押しボタンの軸部を胴の外側から貫通させ、それにより胴の内部に突出された押しボタンの軸端部に止め輪を取付けるとともに、パイプの胴外側端部と押しボタンの頭部との間にコイルばねを圧縮状態に挟むことにより、胴の内部に突出されたパイプの内端に、パイプの内径より大径の止め輪を係合させて、押しボタンが胴の外部に抜けないように取付けられている（例えば、特許文献１参照。）。
【先行技術文献】
【特許文献】
【０００５】
【特許文献１】特開2003−7164号公報（段落0002−0006、段落0026−0038、図１−図３）
【発明の概要】
【発明が解決しようとする課題】
【０００６】
従来技術では、一体構造物からなる押しボタンを胴に抜け止めするのに止め輪を用いているので、この押しボタンの軸部において止め輪が取付けられる部位に、環形の止め輪取付け溝が形成されている。それにより、細くなった部位の強度は押しボタンの軸部の中で最も低い。
【０００７】
このため、携帯時計が落下した場合、それに伴い押しボタンに加わる衝撃によって、止め輪取付け溝から軸部が曲がる恐れがある。特に、ムーブメントが小さく文字板の径が大きい機種程、ムーブメントの接点に近接される軸部の先端から止め輪取付け溝までの長さが長いので、なお更、軸部が曲がる可能性が高められる。このようにして軸部が曲がった場合、押しボタンが押込まれても、それに従い接点が適正に押されなくなるという動作不良（以下、これを接点動作不良と称する。）を起こすことがある。
【０００８】
更に、止め輪は非常に小さいので、これを押しボタンの軸部への着脱する際の取扱いが難しい。これに加えて、止め輪を押しボタンの軸部に取付けるには、軸部をパイプに貫通させた状態でかつ胴の内側の限られた狭い空間で作業をする必要がある。したがって、止め輪の取付け作業性がよくないとともに、同様の理由により、押しボタンの軸部から止め輪を外す作業性もよくない。その上、止め輪を押しボタンの軸部に着脱する際に、小部品である止め輪を紛失する可能性が高い。
【０００９】
以上のように押しボタン付きの従来の携帯時計は、胴に取付けられた押しボタンの軸部が衝撃で変形する可能性があるとともに、押しボタンの胴への着脱作業性がよくない、という課題がある。
【課題を解決するための手段】
【００１０】
前記課題を解決するために、本発明の携帯時計は、接点部材を有したモジュールと、貫通孔が形成された胴を有し、かつ、前記モジュールが収容された時計外装組立と、挿入円筒部を有し、この挿入円筒部を前記貫通孔に挿入して前記胴に固定されたパイプと、このパイプを貫通して前記接点部材に接離可能なボタン軸、及びこの軸に連続して前記胴の外部に配置された押込み操作用のヘッドを有しており、前記ヘッドと一体の第１軸部に、この第１軸部より大径でかつ前記挿入円筒部の先端に接離可能な係合面を有した第２軸部を螺合して前記ボタン軸が形成されている押しボタンと、前記係合面が前記挿入円筒部の先端に接した状態に保持されるように前記押しボタンを前記胴の外方に向けて付勢して設けられた付勢部材と、を具備している。
【００１１】
本発明で、モジュールとは、アナログ式の時計として実施する場合は、複数の時刻表示針を駆動するムーブメントを指しており、デジタル式の時計として実施する場合は、時刻等を示すディスプレイを駆動する電子回路を指している。本発明で、モジュールの接点部材とは、それが押しボタンで押された場合に、機能の切換えを行わせるための部材であって、この機能の切換えとは、例えばクォーツ式携帯時計では、時計表示をアナログ表示からデジタル表示に切換えることを指し、又は、デジタル表示された日付や曜日を切換えることなどを指している。
【００１２】
本発明で、押しボタンのボタン軸をなす第１軸部と第２軸部とは、金属又は合成樹脂で形成できる。この場合、同種又は異種の金属製であっても、同種又は異種の合成樹脂製であっても、或いは、第１軸部と第２軸部のうちの一方が金属製で、他方が合成樹脂製であっても差し支えない。本発明で、第１軸部と第２軸部の螺合による両軸の連結は、これら軸部のうちの一方の軸部に雄ねじ部位を設けるとともに、他方の軸部に雌ねじ部位を設けて、これら雄ねじ部位と雌ねじ部位を螺合させて行うことができる。
【００１３】
本発明は、押しボタンの誤操作を防止するためのロック機構を備えない携帯時計にも、又、ロック機構を備える携帯時計にも適用できる。又、本発明で、付勢部材にはコイルばねを好適に用いることが可能である。ロック機構を備えない携帯時計の場合、付勢部材をパイプと押しボタンのヘッドとで挟んで配設することができ、ロック機構を備えた携帯時計の場合、付勢部材をパイプに螺合されたロック部材と押しボタンのヘッドとで挟んで配設することができる。
【００１４】
本発明では、押しボタンのボタン軸が、押しボタンのヘッドと一体の第１軸部とこれに螺合された第２軸部との二部品で形成されているとともに、第１軸部より大径の第２軸部が、パイプの挿入円筒部の先端に接離する係合面を有している。このため、係合面と挿入円筒部の先端との係合によって、付勢部材で付勢されている押しボタンが、胴の外側に抜けることを防止できる。このように押しボタンの抜け止めを、押しボタンのボタン軸に止め輪を取付けることなく実現したので、携帯時計の落下等に伴う衝撃でボタン軸が変形することを抑制可能である。
【００１５】
更に、本発明では、既述のように第１軸部と第２軸部とが螺合されてボタン軸が形成されている。このため、押しボタンを胴に取付ける際、胴の内部で第２軸部を回転止めされた状態に保持した上で、胴の外から内部に向けて第１軸部をパイプに挿入し、かつ、この第１軸部をこれと一体のヘッドとともに回転させることにより、第１軸部と第２軸部を螺合させてボタン軸を組立てることができる。又、胴の内部で第２軸部を回転止めされた状態に保持した上で、前記組立ての場合と逆回りに第１軸部をこれと一体のヘッドとともに回転させることにより、第１軸部と第２軸部との螺合を外して押しボタンを分解できる。
【００１６】
このように胴に押しボタンを着脱する際、第２軸部を回転止めされた状態に保持する操作の他に、胴の内部で部品を着脱する操作が不要であるとともに、作業空間が制約されない胴の外側から着脱操作ができる。これに加えて、第２軸部は止め輪に比較してはるかに大きいので、その取扱いが容易である。したがって、押しボタンの胴への着脱作業性を向上することが可能である。
【００１７】
本発明の好ましい形態では、前記第２軸部の周面に少なくとも一対の平面が形成されていることを特徴としている。
【００１８】
この好ましい形態の発明では、押しボタンを着脱する際、第２軸部の平面に回り止め用の工具を接触させてこの工具で第２軸部を挟むことによって、胴内で第２軸部を容易かつ確実に回り止めできる。このため、押しボタンを胴に着脱する作業をより容易に行うことが可能である、という利点を更に有する。
【００１９】
本発明の好ましい形態では、前記挿入円筒部の先端部が前記胴の内部に突出されていて、前記付勢部材の付勢力により前記第２軸部の係合面が前記胴の内部で前記挿入円筒部の先端に接触保持されていることを特徴としている。
【００２０】
この好ましい発明では、胴の貫通孔の径に制約されずに係合面の径を大きくすることが可能である。このため、押しボタンの抜け止めを担う上で、パイプ及び第２軸部の寸法公差内でのばらつきに拘らず、係合面を確実に挿入円筒部の先端に係合させることが可能である、という利点を更に有する。
【００２１】
本発明の好ましい形態では、前記第１軸部がその外周部にパッキン取付け溝を有し、前記挿入円筒部の内周面に接する環形の防水パッキンが、前記パッキン取付け溝に嵌合して前記第１軸部に取付けられていて、前記第１軸部がその外径より小径の雄ねじ部位を有しているとともに前記第２軸部が雌ねじ部位を有しており、これら雄ねじ部位と雌ねじ部位を螺合させて前記第１軸部と第２軸部が連結されていることを特徴としている。
【００２２】
この好ましい形態の発明では、パッキン取付け溝と雄ねじ部位との間に、パッキン取付け溝の底の径より太い第１軸部の軸部位が確保されるので、この軸部位の長さに応じて第１軸部と第２軸部の螺合箇所がパッキン取付け溝から遠ざけられている。これにより、第１軸部のパッキン取付け溝と雄ねじ部位との間に強度的に弱い箇所が形成されず、携帯時計の落下等に伴う衝撃で押しボタンのボタン軸の第１軸部が変形することを、抑制可能である、という利点を更に有する。
【００２３】
本発明の好ましい形態では、前記パイプが、前記挿入円筒部より大径でかつこの挿入円筒部に一体に連続して前記胴の外部に配置された大径円筒部を有し、この大径円筒部内に前記ヘッドが嵌合されているとともに、これら大径円筒部の筒底壁部とヘッドとの間に前記付勢部材が圧縮された状態に挟まれていることを特徴としている。
【００２４】
この好ましい形態の発明では、押しボタンを胴に取付けるための部品数が少なく単純な構成であるので、胴に押しボタンを容易に着脱することが可能である、という利点を更に有する。
【００２５】
本発明の好ましい形態では、前記パイプが前記挿入円筒部に一体に連続して前記貫通孔の外部に配置されるとともに外周に雄ねじが形成された雄ねじ円筒部を有し、かつ、前記パイプの軸方向に沿って移動可能に前記雄ねじ円筒部に螺合されて前記胴に接するボタン解放位置と前記ヘッドに接するボタン拘束位置とにわたって配設されるロック部材を更に備え、このロック部材が前記ボタン拘束位置で前記ヘッドの周面を覆うカバー円筒部を有しているとともに、前記ヘッドと前記ロック部材との間に前記付勢部材が圧縮された状態に挟まれていることを特徴としている。
【００２６】
この好ましい形態の発明では、ロック部材をボタン拘束位置に配置することで、押しボタンが不用意に押込まれて誤操作されることを防止可能である。これとともに、ロック部材をボタン拘束位置に配置させた状態で、このロック部材が更に回転されて押しボタンに胴から抜ける方向に力が作用することがあっても、それに伴ってパイプが有した挿入円筒部の先端に係合している係合面を有した第２軸部が変形することがないとともに、この第２軸部が挿入円筒部の先端部に入り込むこともない。このため、ロック部材をボタン解放位置に戻した状態での押しボタンの動作信頼性を確保ですることが可能である、という利点を更に有する。
【発明の効果】
【００２７】
本発明の携帯時計によれば、胴に取付けられた押しボタンのボタン軸が衝撃で変形することを抑制できるとともに、押しボタンの胴への着脱作業を容易に行うことが可能である、という効果を期待できる。
【図面の簡単な説明】
【００２８】
【図１】本発明の第１実施形態に係る腕時計の一部を示す断面図である。
【図２】図１の腕時計が備えた押しボタンとその周りの部品を示す分解斜視図である。
【図３】図１の腕時計が備えた押しボタンとその周りの部品を示す分解断面図である。
【図４】本発明の第２実施形態に係る腕時計の一部を示す断面図である。
【図５】図４の腕時計が備えた押しボタンとその周りの部品を示す分解斜視図である。
【図６】本発明の第３実施形態に係る腕時計の一部を示す押しボタンがボタン拘束位置に配置された状態で示す断面図である。
【図７】図腕時計の一部を示す押しボタンのボタン解放位置に配置された状態で示す断面図である。
【発明を実施するための形態】
【００２９】
以下、本発明の第１の実施の形態について、図１〜図３を参照して詳細に説明する。
図１中符号１は携帯時計例えば腕時計を示している。この腕時計１が備える時計外装組立２内に、モジュール例えばムーブメント１１、文字板１２、及び時針・分針・秒針などの時刻表示針（図示しない）等が収められている。時刻表示針を駆動するムーブメント１１は板ばね等からなる接点部材１３を有している。この接点部材１３が後述の押しボタンで押されることによって、ムーブメント１１の機能が切換えられるようになっている。
【００３０】
図１に示すように時計外装組立２は、ステンレス鋼やチタンなどの金属により環形に作られた胴３の厚み方向の一面(上面)に、文字板１２を透視可能とするカバーガラス４を液密に装着するとともに、胴３の厚み方向の他面(下面)に、ステンレス鋼やチタンなどの金属で作られた裏蓋５を液密に装着して形成されている。
【００３１】
胴３は文字板１２の周部上面を覆う見切り部６を有している。図１に示された見切り部６は、胴３の上部内周に一体に形成されたものであるが、胴３と別体に成形されたリング形の部材であっても良い。見切り部６はその開口径が下側ほど狭くなるように形成された内周斜面６ａを有し、この内周斜面６ａはカバーガラス４の周部裏面に対向している。
【００３２】
胴３には竜頭（図示しない）が取付けられている。胴３は竜頭からずれた位置に、凹部７と胴３の内部３ａとを連通した貫通孔８を有している。
【００３３】
凹部７は胴３の外周面及び下面に夫々開放して設けられている。凹部７は、必須ではなく省略することも可能であるが、凹部７はそこに収容される後述の大径円筒部１７を胴３でカバーして保護するために設けられている。
【００３４】
貫通孔８は胴３の半径方向に沿って真っ直ぐに設けられている。この貫通孔８の一端は胴３の内部３ａに開放されており、貫通孔８の他端は凹部７の底面略中央部に開放されている。
【００３５】
図１〜図３中符号１５はパイプを示している。このパイプ１５は、金属例えばステンレス鋼製であって、挿入円筒部１６と、これより径が大きい大径円筒部１７とを有して段付き円筒状に形成されている。大径円筒部１７は筒底壁部１７ａを有していて、この筒底壁部１７ａが挿入円筒部１６に一体に連続されている。
【００３６】
パイプ１５は、その挿入円筒部１６を貫通孔８に挿入するとともに、大径円筒部１７を凹部７に収めて胴３にろう付けにより固定されている。この固定を担う金属製のろう材１４を図１に示す。このろう材１４は、凹部７の底面に接した筒底壁部１７ａと胴３の貫通孔８を形成した面に接した挿入円筒部１６とがなす角部に設けられていて、パイプ１５と胴３との間の防水を担っている。パイプ１５の挿入円筒部１６の長さは貫通孔８の全長より例えば短い。そのため、挿入円筒部１６の先端１６ａは、貫通孔８内に位置されていて、胴３の内部３ａには達していない。胴３の外部の凹部７内に配置された大径円筒部１７は胴３の外部に開放されている。
【００３７】
胴３の外部から胴３の内部３ａに向けて押込まれる押しボタン２１が、パイプ１５を貫通して胴３に取付けられている。押しボタン２１は、ボタン軸２２及びヘッド２３を有して形成されている。
【００３８】
ボタン軸２２は例えば金属製でパイプ１５を貫通する長さを有している。このボタン軸２２は、第１軸部２４と第２軸部２５とを螺合して形成されている。この螺合のために、第１軸部２４の先端部にその端面に開放された穴に加工された雌ねじ部位２６が設けられているとともに、第２軸部２５に雄ねじ部位２７が設けられている。これら雌ねじ部位２６と雄ねじ部位２７を螺合させることによって、第１軸部２４と第２軸部２５とが連結されて、ボタン軸２２が形成されている。
【００３９】
第１軸部２４の直径はパイプ１５の挿入円筒部１６の内径より僅かに小さい。この第１軸部２４の先端寄りに、周方向に一回り連続するパッキン取付け溝２８が形成されていて、このパッキン取付け溝２８に嵌合して環形の防水パッキン２９が取付けられている。防水パッキン２９は弾性変形が可能でかつ挿入円筒部１６の内面に沿って摺動可能な材料で形成されている。
【００４０】
第２軸部２５の雄ねじ部位２７を除いた部分は例えば六角の短い棒状をなしている。そのため、第２軸部２５はその周面に互に平行な二つの平面２５ａ（図２に三つのみ図示する。）を三組有している。第２軸部２５の外径（この場合、周方向に隣接された平面２５ａの境をなす稜線に接して描くことができる円の直径を指す。）は、パイプ１５の内径及び第１軸部２４の直径より大きく、かつ、パイプ１５の外径より小さい。
【００４１】
第２軸部２５は係合面２５ｂを有している。係合面２５ｂは第２軸部２５の軸方向に直交した面で形成されており、この係合面２５ｂの中央部に雄ねじ部位２７が突設されている。第１軸部２４と第２軸部２５が連結された状態で、第１軸部２４と第２軸部２５の間に段差が形成されるように係合面２５ｂが、第１軸部２４の先端にこれから外側に食み出すように連続されている。
【００４２】
第２軸部２５が螺合された第１軸部２４の端部と反対側の端に、押しボタン２１を胴３の内部３ａに向けて押し込み操作するために操作されるヘッド２３が一体に連続されている。ヘッド２３は、ボタン軸２２より大径であるとともに、嵌合円筒部２３ａを有している。嵌合円筒部２３ａは第２軸部２４に向けてヘッド２３から一体に突設されていて、この嵌合円筒部２３ａの外径は大径円筒部１７の内径より多少小さい。
【００４３】
胴３に取付けられた押しボタン２１は付勢部材例えばコイルばね３１で胴３の外方に向けて付勢されている。コイルばね３１は、第１軸部２４より大径で、かつ、嵌合円筒部２３ａより小径である。コイルばね３１は、圧縮状態となって、パイプ１５の筒底壁部１７ａとヘッド２３とで挟まれている。
【００４４】
このコイルばね３１のばね力(付勢力)によって、挿入円筒部１６の先端１６ａ（図１及び図３参照）に胴３の内部３ａ側から係合面２５ｂが接した状態(係合状態)に押しボタン２１が保持されている。こうして押しボタン２１が保持された状態では、そのボタン軸２２の先端、言い換えれば、第２軸部２５の先端は、図１に示すように前記接点部材１３との間に所定の間隙を形成して近接されている。
【００４５】
押しボタン２１は以下の手順で胴３に取付けられる。
まず、第１軸部２４のパッキン取付け溝２８に防水パッキン２９を嵌合して取付けた上で、第１軸部２４にコイルばね３１を嵌合させる。次いで、裏蓋５が取付けられていない胴３に対してボタン軸２２を組立てながら、胴３の貫通孔８に固定されているパイプ１５の挿入円筒部１６にボタン軸２２を貫通させる。
【００４６】
この場合、第２軸部２５をその直径方向に挟む工具（図示しない）を用いて、この第２軸部２５の雄ねじ部位２７が挿入円筒部１６内に位置されるように第２軸部２５を、胴３の内部３ａに配置させる。これとともに、第１軸部２４を胴３の外側から挿入円筒部１６に挿入する。この状態で、第１軸部２４をヘッド２３とともに所定方向に回転させて、その雌ねじ部位２６と第２軸部２５の雄ねじ部位２７とを螺合させる。或いは、第１軸部２４を挿入円筒部１６に挿入した後に、前記工具を用いて胴３内に第２軸部２５を配置してから、第１軸部２４をヘッド２３とともに所定方向に回転させて、雌ねじ部位２６と雄ねじ部位２７とを螺合させる。なお、挿入円筒部１６に第１軸部２４が挿入されるに伴って、防水パッキン２９は圧縮されて挿入円筒部１６の内面に密接される。
【００４７】
こうした組立ての際、前記工具が、第２軸部２５の平面２５ａに接触して第２軸部２５をその径方向に挟んでいるので、第２軸部２５は胴３内で回り止めされる。しかも、この場合、互に平行な二つの平面２５ａに接触して第２軸部２５をその径方向に工具で挟んでいるので、回り止めの信頼性が高い。このように第２軸部２５の回り止めが確実であることに伴い、第１軸部２４と第２軸部２５を螺合させる作業をより容易に行うことが可能である。又、同様の理由から、ボタン軸２２を分解する上で、第１軸部２４と第２軸部２５との螺合を外す作業も、工具による第２軸部２５の回り止めが確実であるので、容易に行うことができる。
【００４８】
以上の手順で雌ねじ部位２６と雄ねじ部位２７とが螺合されることにより、第１軸部２４と第２軸部２５が連結されて、挿入円筒部１６を貫通するボタン軸２２が組立てられる。
【００４９】
こうして押しボタン２１が胴３に取付けられた状態では、パイプ１５が有した大径円筒部１７の筒底壁部１７ａとヘッド２３との間に挟まれたコイルばね３１がその軸方向に圧縮された状態に保持されるので、このコイルばね３１のばね力により押しボタン２１が胴３の外部に抜ける方向に付勢される。それにより、第２軸部２５の第１軸部２４側の部位が貫通孔８内に引き込まれるように押しボタン２１が移動されて、係合面２５ｂが挿入円筒部１６の先端１６ａに引っ掛かった係合状態に保持される。これとともに、ヘッド２３は胴３の外部に配置され、かつ、その嵌合円筒部２３ａは第１軸部２５及びコイルばね３１を覆ってパイプ１５の大径円筒部１７内に嵌合される。
【００５０】
以上のように腕時計１のパイプ１５は、挿入円筒部１６より大径でかつこの挿入円筒部１６に一体に連続して胴３の外部に配置された大径円筒部１７を有していて、この大径円筒部１７内に押しボタン２１のヘッド２３が嵌合されているとともに、これら大径円筒部１７の筒底壁部１７ａとヘッド２３との間にコイルばね３１が圧縮された状態に挟まれている。このため、押しボタン２１を胴３に取付けるための部品数が少なく構成が単純であるともに、それに伴い胴３に押しボタン２１を既述の手順で容易に着脱することが可能である。
【００５１】
以上説明した手順により明らかなように工具を用いて第２軸部２５を回転止めされた状態に保持する操作の他に、胴３の内部３ａで部品を着脱するための操作を要することなく、胴３の外側から押しボタン２１の着脱操作を行うことができる。しかも、第２軸部２５は止め輪に比較してはるかに大きいので、その取扱いが容易で、作業中に紛失する恐れも少ない。したがって、押しボタン２１の胴３への着脱作業性を向上することが可能である。
【００５２】
ところで、ムーブメント１１と、これに取付けられた文字板１２、及び図示しない時刻表示針等を含むアセンブリは、裏蓋５が取付けられていない胴３内に、裏蓋５で閉じられる開口を通して組み込まれる。この場合、前記アセンブリは、文字板１２の周部が胴３の見切り部６の裏面（下面）に接することで位置決めされる。
【００５３】
こうしたアセンブリの組込み前に押しボタン２１の取付け作業を行うことも可能である。しかし、既述のように押しボタン２１の取付けは、胴３の内部３ａでの作業が殆どなく、胴３により作業空間が制限されることがない胴３の外部からの挿入及び回転作業が大半を占めているので、前記アセンブリの胴３への組込み後に押しボタン２１を取付けることができる。このように前記アセンブリより後に胴３に押しボタン２１を取付ける場合は、胴３の内部３ａに突出された第２軸部２５の長さが長くても、この第２軸部２５と文字板１２が干渉して胴３内へのアセンブリの収容が妨げられることないので、前記アセンブリを胴３内に容易に取付けることができる点で好ましい。
【００５４】
図１に示すように組立てられた腕時計１の押しボタン２１が、そのヘッド２３に添えられた使用者の指でコイルばね３１に抗して押込まれた場合、ボタン軸２２の係合面２５ｂが挿入円筒部１６の先端１６ａから離れるとともに、ボタン軸２２の第２軸部２５がムーブメント１１の接点部材１３に接触して、機能の切換えが行われる。又、この押しボタン２１の押込み力が解放されると、コイルばね３１のばね力で押しボタン２１が胴３の外側に向けて押し戻される。これにより、ボタン軸２２の第２軸部２５が接点部材１３から離れるとともに、ボタン軸２２の係合面２５ｂが挿入円筒部１６の先端１６ａに接して、押しボタン２１が抜け止めされた状態に保持される。
【００５５】
又、既述のように押しボタン２１のボタン軸２２は、一体構造物ではなく、押しボタン２１のヘッド２３と一体の第１軸部２４とこれに螺合された第２軸部２５との二部品で形成されているとともに、第１軸部２４より大径の第２軸部２５が、パイプ１５の挿入円筒部１６の先端１６ａに接離する係合面２５ｂを有している。これにより、押しボタン２１のボタン軸２２に止め輪を取付けることなく、係合面２５ｂと挿入円筒部１６の先端１６ａとの接触によって、コイルばね３１で胴３の外方に付勢されている押しボタン２１が、胴３から抜けることを防止できる。
【００５６】
これとともに、押しボタン２１の抜け止めを実現する上で、ボタン軸２２はその強度低下をもたらす止め輪取付け用の溝を有していないので、ボタン軸２２の耐衝撃性が向上されている。これにより、ムーブメント１１が小さいことにより、胴３の内面からボタン軸２２の先端までの長さが長い構成の腕時計１であっても、腕時計１が誤って落下した場合、それに伴う衝撃で押しボタン２１のボタン軸２２が変形して曲がることを抑制可能である。したがって、ボタン軸２２の曲がりを原因とする接点動作不良が起こる恐れがなく、押しボタン２１が押込まれるに伴い接点部材１３が適正に押されて、腕時計１の機能を切換えることができる。
【００５７】
更に、既述のように押しボタン２１が二部材で形成されているので、ヘッド２３を貴金属製として腕時計１の装飾性を高める場合、押しボタン２１全体ではなく、第１軸部２４及びヘッド２３のみを貴金属製とすれば良く、第２軸部２５は他の低コストの金属又は合成樹脂で形成できる。このため、材料コストが高い貴金属の使用量を減少しつつ腕時計１の装飾性を高めることが可能である。
【００５８】
加えて、押しボタン２１が二部材で形成されているので、腕時計１を製造する上で以下の利点がある。即ち、腕時計１の機種によってムーブメント１１の大きさは異なっているので、機種ごとに適合する長さのボタン軸２２を有した押しボタン２１が用いられる。この場合、腕時計１の機種ごとに異なる長さの第２軸部２５を用意して置いて、その中から機種に適合した長さの第２軸部２５を選択して、それを第１軸部２４に螺合することで、機種ごとに適合した長さのボタン軸２２を有した押しボタン２１を形成できる。このため、第１軸部２４とこれに一体成形されたヘッド２３を共通部品とできるに伴い、部品の在庫管理を容易にできる、という製造上の利点がある。
【００５９】
図４及び図５は本発明の第２の実施の形態を示している。この第２実施形態に係る腕時計は、以下説明する構成以外は第１実施形態と同じである。そのため、第１実施形態と同じ構成については第１実施形態と同じ符号を付して、その説明を省略する。
【００６０】
第２実施形態では、雄ねじ部位２７がボタン軸２２の第１軸部２４に設けられている。この雄ねじ部位２７は、第１軸部２４の外径より小径で、第１軸部２４の先端部をなしているとともにパッキン取付け溝２８から遠ざかる方向に突出して設けられている。更に、雌ねじ部位２６がボタン軸２２の第２軸部２５に設けられている。これら雄ねじ部位２７と雌ねじ部位２６を螺合させて第１軸部２４と第２軸部２５が連結されて、押しボタン２１のボタン軸２２が形成されている。尚、ムーブメント１１の径は第１実施形態のムーブメントより大きいとともに、第２軸部２５の長さは第１実施形態の第２軸部より短い。これとともに、第２軸部２５の外周の一箇所のみに平面２５ａが設けられている。
【００６１】
以上説明した以外の構成は第１実施形態と同じである。そのため、第２実施形態では、第１実施形態で既に説明したのと同じ理由によって、第１実施形態と同じ作用を得て、本発明の課題を解決できる。即ち、胴３に取付けられた押しボタン２１のボタン軸２２が衝撃で変形することを抑制できるとともに、押しボタン２１の胴３への着脱作業を容易に行うことが可能な腕時計１を提供可能である。
【００６２】
更に、第２実施形態では、第２軸部２５の雌ねじ部位２６に螺合する雄ねじ部位２７を第１軸部２４が有しているから、第１軸部２４においてそのパッキン取付け溝２８と雄ねじ部位２７との間に、パッキン取付け溝２８の底の径より太い第１軸部２４の軸部位２４ａが存在している。このため、軸部位２４ａの長さに応じて第１軸部２４と第２軸部２５の螺合箇所がパッキン取付け溝２８から遠ざかっていて、第１軸部２４のパッキン取付け溝２８と雄ねじ部位２６との間に、強度的に弱い箇所が形成されることがない。したがって、腕時計１の落下等に伴う衝撃でボタン軸２２の第１軸部２４が変形することを、抑制可能である。
【００６３】
図６及び図７は本発明の第３の実施の形態を示している。この第３実施形態に係る腕時計は、以下説明する構成以外は第２実施形態と同じである。そのため、第２実施形態と同じ構成については第２実施形態と同じ符号を付して、その説明を省略する。
【００６４】
第３実施形態では、パイプ１５の挿入円筒部１６の先端１６ａが、胴３の内部３ａに突出されているとともに、胴３の内部３ａで第２軸部２５の係合面２５ｂが挿入円筒部１６の先端１６ａに接触している。
【００６５】
この構成により、胴３の貫通孔８の径に制約されずに係合面２５ｂの径を大きくすることが可能である。このため、パイプ１５及び第２軸部２５の寸法公差内でのばらつきに拘らず、係合面２５ｂを確実に挿入円筒部１６の先端１６ａに係合させて、胴３に対する押しボタン２１の抜け止めを担うことができる。尚、第３実施形態において、第１軸部２４の先端部に設けられた雄ねじ部２７は、第１軸部２４の外径より小径であることに制約されず、第１軸部２４の外径と同一径であっても差し支えない。こうした第３実施形態での抜け止めの構成は、前記第１、第２の実施形態にも適用することが可能である。
【００６６】
更に、第３実施形態で凹部７は胴３の外面にのみ開放されている。又、第３実施形態の腕時計１は押しボタン２１に対するロック機構を備えている。そのために、以下の構成とともにロック部材３５が採用されている。
【００６７】
即ち、胴３にろう付けされたパイプ１５は、挿入円筒部１６と、これに一体に連続して凹部７内に突出された雄ねじ円筒部１９を有して形成されている。挿入円筒部１６及び雄ねじ円筒部１９の内径は同じであり、互いの内面同士は面一に連続している。雄ねじ円筒部１９の外径は挿入円筒部１６の外径より大きく、これらの外径差に従って形成された外周の段部は、凹部７の底面に接してろう材１４で固定されている。貫通孔８の外部に配設された雄ねじ円筒部１９はその外周に雄ねじ部１９ａを有している。
【００６８】
ロック部材３５は、螺合筒部３６とこれより大径のカバー円筒部３７を有して段付き円筒状をなしている。カバー円筒部３７の筒底壁部３７ａは螺合筒部３６に一体に連続されている。螺合筒部３６の内周には雌ねじ部３６ａが形成されている。
【００６９】
このロック部材３５は、雌ねじ部３６ａを雄ねじ円筒部１９の雄ねじ部１９ａに螺合させて、パイプ１５の軸方向に沿って移動可能に設けられている。こうした移動により、ロック部材３５は、胴３に接するボタン解放位置、具体的には図７に示すように凹部７の底面に螺合筒部３６が接するボタン解放位置と、押しボタン２１のヘッド２３に接するボタン拘束位置、具体的には図６に示すようにヘッド２３の嵌合円筒部２３ａの先端面に筒底壁部３７ａが接するボタン拘束位置とにわたって移動可能である。ロック部材３５がボタン拘束位置に配設された状態では、カバー円筒部３７の内側にヘッド２３が収まってこのヘッド２３の周面がカバー円筒部３７で覆われるようになっている。
【００７０】
又、コイルばね３１は、パイプ１５に螺合して支持されたロック部材３５の筒底壁部３７ａとヘッド２３との間に圧縮状態に挟まれていて、そのばね力により、押しボタン２１を胴３の外方に向けて付勢している。尚、以上のロック機構を設ける構成は、第１、第２の実施形態にも適用することができる。
【００７１】
以上説明した以外の構成は第２実施形態と同じである。そのため、第３実施形態では、第２実施形態で既に説明したのと同じ理由によって、第２実施形態と同じ作用を得て、本発明の課題を解決できる。即ち、胴３に取付けられた押しボタン２１のボタン軸２２が衝撃で変形することを抑制できるとともに、押しボタン２１の胴３への着脱作業を容易に行うことが可能な腕時計１を提供可能である。
【００７２】
更に、第３実施形態では、既述のロック機能を備えているので、以下の利点がある。即ち、図７に示すボタン解放位置のロック部材３５を手で所定方向に回転操作させることで、雄ねじ部１９ａと雌ねじ部３６ａの噛み合いの変化で、ロック部材３５を胴３の外側方向に更に突出させてボタン拘束位置に配置できる。尚、この場合、コイルばね３１はその軸方向に更に圧縮される。
【００７３】
ボタン拘束位置に配置されたロック部材３５は、ストッパとなってヘッド２３に胴３側から接して、押しボタン２１の押込みを妨げる。したがって、腕時計１の携帯中に誤って押しボタン２１が押されても、この押しボタン２１が不用意に押込まれる誤操作を防止することができる。
【００７４】
ところで、ボタン拘束位置に配置されたロック部材３５は使用者により更に回転されることがある。この場合、ロック部材３５の回転操作は、カバー円筒部３７を指で摘んで行われるが、ヘッド２３を覆っているカバー円筒部３７の外径は比較的大きいので、比較的容易に回転操作することが可能である。
【００７５】
こうしてボタン拘束位置に達したロック部材３５が更に回転された場合、押しボタン２１に対して胴３から抜ける方向に力が作用する。こうした状況での押しボタン２１の抜け止めは、第２軸部２５の係合面２５ｂが挿入円筒部１６の先端１６ａに接していることで実現されている。このため、前記抜け方向に作用する力で、係合面２５ｂを有した第２軸部２５が変形することはなく、当然に、第２軸部２５がこれより小径の挿入円筒部１６の先端部に入り込むこともない。
【００７６】
特に、第２軸部２５全体が貫通孔８から外れて胴３の内部３ａに配置されていることにより、この第２軸部２５の径を、貫通孔８に制約されずに、図６及び図７に示すように貫通孔８の径以上に大径にできる。そのため、この構成の場合には、なお更、第２軸部２５がこれより小径の挿入円筒部１６の先端部に入り込む恐れがない。
【００７７】
したがって、後述するようにロック部材３５をボタン解放位置に戻した状態での押しボタン２１の動作信頼性を確保ですることが可能である。
【００７８】
尚、比較のために説明すれば、前記特許文献1に記載の携帯時計は、ロック部材の内周に形成した雌ねじ部を、胴に取付けられたパイプの外周に形成された雄ねじ部に螺合して、これらねじ部の螺合位置の変化によりロック部材をボタン拘束位置とボタン解放位置とにわたって移動可能に設けてなるねじロック機構を備えているので、第３実施形態と同じくロック部材がボタン拘束位置に配置された状態で押しボタンが誤って押し込まれることを防止できる。しかし、ロック部材をボタン拘束位置に配置させた状態で、使用者が引き続いてロック部材を回転操作した場合、押しボタンに胴から引き出される方向の力が作用するに伴って、押しボタンに取付けられた止め輪に過大な力が加わって、この止め輪が胴外側に向けてすり鉢状となるように変形して、パイプの胴内側端部に食い込む恐れがある。このようになった場合、止め輪をパイプから取外すことが困難となり、分解修理性を損う事態になる。又、こうした事態に至らないまでも、ロック部材をボタン解放位置に戻した上で、押しボタンを押しても、この押しボタンを押し込むことが困難になる、という押込み不良を生じる恐れがある。
【００７９】
又、第３実施形態の腕時計１で押しボタン２１を操作する場合には、まず、ボタン拘束位置に配置されたロック部材３５を逆回転することで、雄ねじ部１９ａと雌ねじ部３６ａの噛み合いの変化により、ボタン拘束位置のロック部材３５を胴３に近付く方向に移動させて、図７に示すボタン解放位置に配置する。尚、この場合、コイルばね３１は延びる。又、ボタン解放位置に配置されたロック部材３５の筒底壁部３７ａは、ヘッド２３の嵌合円筒部２３ａの先端から離れている。そのため、押しボタン２１のヘッド２３を押すことに伴い、コイルばね３１を圧縮させながら押しボタン２１が胴３内に向けて押込まれるので、その先端でムーブメント１１の接点部材１３を適正に押すことができる。
【００８０】
本発明は前記各実施形態には制約されない。例えば、本発明は、腕時計以外に懐中時計等にも適用できる。
【符号の説明】
【００８１】
１…腕時計（時計）
２…時計外装組立
３…胴
３ａ…胴の内部
８…貫通孔
１１…ムーブメント（モジュール）
１３…接点部材
１５…パイプ
１６…挿入円筒部
１６ａ…挿入円筒部の先端
１７…大径円筒部
１７ａ…大径円筒部の筒底壁部
１９…雄ねじ円筒部
１９ａ…雄ねじ円筒部の雄ねじ部
２１…押しボタン
２２…ボタン軸
２３…ヘッド
２４…第１軸部
２４ａ…軸部位
２５…第２軸部
２５ａ…第２軸部の平面
２５ｂ…係合面
２６…雌ねじ部位
２７…雄ねじ部位
２８…パッキン取付け溝
２９…防水パッキン
３１…コイルばね（付勢部材）
３５…ロック部材
３６…螺合筒部
３７…カバー円筒部
３７ａ…カバー円筒部の筒底壁部
【図１】
2012189521.tif 000003
【図２】
2012189521.tif 000004
【図３】
2012189521.tif 000005
【図４】
2012189521.tif 000006
【図５】
2012189521.tif 000007
【図６】
2012189521.tif 000008
【図７】
2012189521.tif 000009